(57)【要約】      （修正有）【課題】装置搭載可能最大数のサスペンションを搭載したアクチュエータと同等の位置決め精度を、装置搭載可能最大数より少ない数のサスペンションを搭載したアクチュエータにおいて実現する。【解決手段】磁気ディスク装置は、磁気ヘッドを搭載したスライダ１６に所定の荷重を付与するサスペンション１８を備えたアーム２２と、サスペンション１８を持つ代わりにプレート２０を搭載したアーム２２を備えたアクチュエータ２６を有する。サスペンション１８の変わりにアーム２２に搭載されたプレート２０が、アーム長手方向に垂直な断面について部分的に小さい断面（くびれ部）を有し、そのくびれ部が、プレート先端部とアーム取り付け部との間にある。【選択図】図２
2009146463.tif 000002
【特許請求の範囲】
【請求項１】
磁気ディスクと、
複数のアームを有し、前記磁気ディスクの径方向に揺動可能なアクチュエータと、
前記複数のアームの一つ以上に取り付けられ、前記磁気ディスクに対して磁気情報を記録または再生する磁気ヘッドを搭載するスライダを保持し、該スライダに所定の荷重を付与するサスペンションと、
前記複数のアームの一つ以上に取り付けられたプレートと、を備えた磁気ディスク装置において、
前記プレートは、前記アームの長手方向に垂直な断面において、部分的に小さい部分を有し、該部分的に断面が小さい部分が当該プレートの先端部と前記アームへの取り付け部との間にあることを特徴とする磁気ディスク装置。
【請求項２】
請求項１記載の磁気ディスク装置において、前記プレートの部分的に断面が小さい部分は、当該プレートのくびれ部であることを特徴とする磁気ディスク装置。
【請求項３】
請求項１記載の磁気ディスク装置において、前記プレートの先端部は複数に分割されており、該分割された先端部のそれぞれと前記アームへの取り付け部との間に部分的に断面が小さい部分を複数有することを特徴とする磁気ディスク装置。
【請求項４】
請求項１記載の磁気ディスク装置において、前記プレートの部分的に断面が小さい部分が、前記磁気ディスクの面に対して垂直方向に段差を持つことを特徴とする磁気ディスク装置。
【請求項５】
複数のアームを有するアクチュエータと、
前記複数のアームの一つ以上に取り付けられたサスペンションと、
前記サスペンションに取り付けられた、磁気ヘッドを搭載するスライダと、
前記複数のアームの一つ以上に取り付けられたプレートと、を有するヘッドスタックアセンブリにおいて、
前記プレートは、前記アームの長手方向に垂直な断面において、部分的に小さい部分を有し、該部分的に断面が小さい部分が当該プレートの先端部と前記アームへの取り付け部との間にあることを特徴とするヘッドスタックアセンブリ。
【請求項６】
請求項５記載のヘッドスタックアセンブリにおいて、前記プレートの部分的に断面が小さい部分は、当該プレートのくびれ部であることを特徴とするヘッドスタックアセンブリ。
【請求項７】
請求項５記載のヘッドスタックアセンブリにおいて、前記プレートの先端部は複数に分割されており、該分割された先端部のそれぞれと前記アームへの取り付け部分との間に部分的に断面が小さい部分を複数有することを特徴とするヘッドスタックアセンブリ。
【請求項８】
請求項５記載のヘッドスタックアセンブリにおいて、前記プレートの部分的に断面が小さい部分が、当該プレートの面に垂直な方向に段差を有することを特徴とするヘッドスタックアセンブリ。
【発明の詳細な説明】
【技術分野】
【０００１】
本発明は磁気ディスク装置の構造に関するものである。さらに詳細には磁気ディスク装置の磁気ヘッドの位置決め精度の向上に関わるものである。
【背景技術】
【０００２】
磁気ディスク装置は磁気情報を保持する磁気ディスクと、磁気ディスクに対して磁気情報を記録または再生する磁気ヘッドを搭載したスライダと、このスライダを磁気ディスクの径方向に移動するように回転可能に設けたアクチュエータを備えて構成されている。そして、係るアクチュエータは、先端側にスライダを保持しこのスライダに所定の荷重を付与するサスペンションと、サスペンションの根元側を保持するアームとを有して構成されている。
【０００３】
磁気ディスク装置には、搭載可能な最大個数のサスペンションが取り付けられたアクチュエータを搭載する磁気ディスク装置（以下Ａと記す）と、この磁気ディスク装置より少ない個数のサスペンションが取り付けられたアクチュエータを搭載し、記憶容量を下げた磁気ディスク装置がある。これは、磁気ディスク装置の記憶容量ごとにアクチュエータの構造を変えると、アクチュエータの製造コストが上昇するために、同じ構造のアクチュエータを使用し、取り付けるサスペンションの個数を調整することで、製造コストの上昇を抑えているのである。このような場合、現行の磁気ディスク装置では、サスペンションを取り付けないアームには、サスペンションの代わりにアクチュエータの質量バランスをとるためのプレートを取り付けている。
【０００４】
たとえば、特許文献１に記載されている磁気ディスク装置では、サスペンションを取り付けないアームには重み付けセグメントを取り付け、重み付けセグメントの横剛性および質量を増加させることよって、サスペンションを取り付けないアームの共振周波数が、サスペンションを取り付けたアームの共振周波数とそろうようにし、アクチュエータの周波数特性を改善している。
【０００５】
【特許文献１】特開2001-126428号公報
【発明の開示】
【発明が解決しようとする課題】
【０００６】
サスペンションはスライダを柔軟に支持する必要があるため、剛性を高くすることができないので、ディスク径方向の固有振動数をあまり高くすることができない。一方で、サスペンションに比べて従来のプレートは剛性が高いため、ディスク径方向の固有振動数がサスペンションより大幅に高くなってしまう。そのためスライダを搭載したサスペンションの代わりに、従来のプレートを搭載したアクチュエータの場合、アクチュエータの周波数特性が、サスペンションの取り付け個数によって異なり、最大個数のサスペンションが取り付けられたアクチュエータと同等の位置決め精度を確保することが困難である。
【０００７】
本発明の目的は、アクチュエータに取り付けられるサスペンションの個数が異なる場合でも、磁気ヘッドの位置決め精度を確保することができる磁気ディスク装置を提供することである。
本発明の他の目的は、アクチュエータに取り付けられるサスペンションの個数が異なる場合でも、周波数特性の差が少ないヘッドスタックアセンブリを提供することである。
【課題を解決するための手段】
【０００８】
上記目的を達成するために、本発明の磁気ディスク装置においては、磁気ディスクと、複数のアームを有し、磁気ディスクの径方向に揺動可能なアクチュエータと、複数のアームの一つ以上に取り付けられ、磁気ディスクに対して磁気情報を記録または再生する磁気ヘッドを搭載するスライダを保持し、スライダに所定の荷重を付与するサスペンションと、複数のアームの一つ以上に取り付けられたプレートと、を備える磁気ディスク装置であって、前記プレートが、アームの長手方向に垂直な断面において、部分的に小さい部分を有し、この部分的に断面が小さい部分が、プレートの先端部とアームへの取り付け部との間にあることを特徴とする。
【０００９】
前記プレートの部分的に断面が小さい部分は、プレートのくびれ部である。
【００１０】
また、前記プレートの先端部は複数に分割されており、この分割された先端部のそれぞれと、アームへの取り付け部との間に部分的に断面が小さい部分を複数有する。
【００１１】
また、前記プレートの部分的に断面が小さい部分が、磁気ディスクの面に対して垂直方向に段差を有している。
【００１２】
上記他の目的を達成するために、本発明のヘッドスタックアセンブリは、１ないし複数のアームを有するアクチュエータと、１ないし複数のアームの一つ以上に取り付けられたサスペンションと、サスペンションに取り付けられた、磁気ヘッドを搭載するスライダと、１ないし複数のアームの一つ以上に取り付けられたプレートと、を有するヘッドスタックアセンブリであって、前記プレートは、アームの長手方向に垂直な断面において、部分的に小さい部分を有し、この部分的に断面が小さい部分が、プレートの先端部とアームへの取り付け部との間にあることを特徴とする。
【発明の効果】
【００１３】
本発明によれば、アクチュエータに取り付けられるサスペンションの個数が異なる場合でも、周波数特性の差が少ないヘッドスタックアセンブリを提供するができる。また、磁気ディスク装置において、アクチュエータに取り付けられるサスペンションの個数が異なる場合でも、磁気ヘッドの位置決め精度を確保することができる。
【発明を実施するための最良の形態】
【００１４】
以下、本発明の実施例について図面を用いて説明する。
＜実施例１＞
図１は実施例１による磁気ディスク装置の概略構成を示す上面図であり、図２はアクチュエータの斜視図である。磁気ディスク装置１０は、情報を記録する１ないし複数枚の磁気ディスク１２が装着され、磁気ディスク１２を回転させるスピンドルモータ１４と、磁気ディスク１２に対して情報を記録または再生する磁気ヘッドを搭載するスライダ１６と、スライダ１６を支持するサスペンション１８と、サスペンション１８あるいはプレート２０が取り付けられた複数のアーム２２とボイスコイル２４を有するアクチュエータ２６を備えて構成されている。アクチュエータ２６は、ピボット軸２８に対して揺動可能に支持され、サスペンション１８を介してスライダ１６を磁気ディスク１２の径方向に移動させる。サスペンション１８は、スライダ１6に所定の荷重を付与し、スライダ１６は磁気ディスク１２の回転により発生する粘性層流から受ける揚力とつりあったところで、磁気ディスク上を浮上する。ここで、図２に示すように、アクチュエータ２６の各アーム２２に、サスペンション１８あるいはプレート２０が取り付けられた構造体をヘッドスタックアセンブリ３０と呼ぶことにする。
【００１５】
図２に示すヘッドスタックアセンブリ３０は、４本のアーム２２ａ，２２ｂ，２２ｃ，２２ｄを有し、そのうち図２の一番下のアーム２２ｄの上側と、下から２番目のアーム２２ｃの下側にサスペンション１８が取り付けられている。アーム２２ｃの上側と、アーム２２ｂの上下と、アーム２２ａの下側には、プレート２０が取り付けられている。
【００１６】
サスペンション１８はスライダ１６を柔軟に支持する必要があるため、剛性をあまり高くすることができない。サスペンション１８に対し、図４に示される従来構造のプレート６は剛性が高いため、搭載したアクチュエータの周波数特性に違いが生じる。
【００１７】
図３に本実施例のプレート２０の斜視図を示す。本実施例のプレート２０は、図３に示すように、アーム取り付け部7とプレート先端部２との間に柔軟なくびれ部８を有する構造をしているため柔軟で、プレート２０の振動特性をサスペンション１８の振動特性と類似させることが可能である。以上のことから、サスペンション１８の数が少ない構成のアクチュエータの周波数特性をＡのアクチュエータの周波数特性に比べ悪化することなく、Ａと同等以上の位置決め精度を確保することが可能となる。このことによりサスペンション１８の搭載数を減らした磁気ディスク装置１０の記憶容量を、剛性の高い従来のプレートを用いた磁気ディスク装置に比べ大きくすることができる。
【００１８】
次に本発明の実施例２について図５及び図６を用いて説明する。プレート２０′はくびれ部８に段差部９を設けることで磁気ディスク１２とプレート２０′の間隔が広くなる形状である。図６に示すようにプレート２０′の先端部２と磁気ディスク１２の間隔が広いため、アーム２２が振動しても磁気ディスク１２に衝突しにくい。さらにくびれ部８を持つ形状であるので、図５のプレート２０′を適用したアクチュエータの周波数特性において、前記Ａのアクチュエータの周波数特性に比べ悪化することなく、Ａと同等以上の位置決め精度を確保することが可能となる。このことによりサスペンション１８の搭載数を減らした磁気ディスク装置の記憶容量を、剛性の高い従来のプレートを用いた磁気ディスク装置に比べ大きくすることができる。
【００１９】
次に本発明の実施例３について図７を用いて説明する。図７はプレート２０″の先端を複数に分割することで本発明の特徴を有する形状である。実施例１ではくびれ部８より先の幅が広いためねじれやすく周波数特性に悪影響を及ぼす可能性がある。実施例３の形状では、くびれ部８より先の幅を小さく設計できるので、ねじれにくいという特徴がある。さらにくびれ部８を持つ形状であるので、図７のプレート２０″を適用したアクチュエータの周波数特性において、前記Ａのアクチュエータの周波数特性に比べ悪化することなく、Ａと同等以上の位置決め精度を確保することが可能となる。このことによりサスペンション１８の搭載数を減らした磁気ディスク装置の記憶容量を、剛性の高い従来のプレートを用いた磁気ディスク装置に比べ大きくすることができる。
【００２０】
以上、実施例により説明した本発明によれば、アクチュエータのアームに、サスペンションの代わりに、サスペンションの固有振動数に近い固有振動数を持ったプレートを取り付けることで、アクチュエータの周波数特性を調整することができる。これによって本発明を適用したアクチュエータの周波数特性は、前記Ａのアクチュエータの周波数特性に比べ悪化することなく、前記Ａと同等以上の位置決め精度を確保することが可能となる。このことにより磁気ヘッドの搭載数を減らした磁気ディスク装置の記憶容量を、剛性の高い従来のプレートを用いた磁気ディスク装置に比べ大きくすることができる。
【図面の簡単な説明】
【００２１】
【図１】本発明の実施例１の磁気ディスク装置の上面図である。
【図２】本発明の実施例１のヘッドスタックアセンブリの斜視図である。
【図３】本発明の実施例１のプレートの斜視図である。
【図４】従来のプレートの斜視図である。
【図５】本発明の実施例２のプレートの斜視図である
【図６】本発明の実施例２のプレートを横から見た模式図である。
【図７】本発明の実施例３のプレートの斜視図である。
【符号の説明】
【００２２】
２…プレート先端部、７…アーム取り付け部、８…くびれ部、９…段差部、１０…磁気ディスク装置、１２…磁気ディスク、１４…スピンドルモータ、１６…スライダ、
１８…サスペンション、２０，２０′，２０″…プレート、２２…アーム、２４…ボイスコイル、２６…アクチュエータ、２８…ピボット、３０…ヘッドスタックアセンブリ。
【図１】
2009146463.tif 000003
【図２】
2009146463.tif 000004
【図３】
2009146463.tif 000005
【図４】
2009146463.tif 000006
【図５】
2009146463.tif 000007
【図６】
2009146463.tif 000008
【図７】
2009146463.tif 000009